(57)【要約】  サードパーティサービスプロバイダ（４０３）へ、第一オペレータのＩＭＳネットワーク（４０１）の少なくとも一つのネットワークサービスのネットワークサービスアドレスを提供するための方法、セッション管理ノード、及び構成であって、前記サードパーティサービスプロバイダは、前記第一オペレータと取引関係を有していない。移動局の第一アプリケーション（４０４）は、第一ネットワーク（４０６）を介して第二アプリケーションと通信を行い、前記移動局と前記サードパーティサービスプロバイダとの間でＩＭＳセッションを設定する結果になる。前記第一オペレータの前記ＩＭＳネットワークによって提供された少なくとも一つのネットワークサービスのネットワークアドレスは、前記第一オペレータの前記ＩＭＳネットワークのセッション管理ノード（６００）における前記ＩＭＳセッションのＳＩＰメッセージへ挿入され、前記サードパーティサービスプロバイダへ配信され、前記第二アプリケーションへ転送される。必要であれば、前記第二アプリケーションは、前記検索されたネットワークアドレスを用い、前記１以上のネットワークサービスに前記第一ネットワークを介してアクセスして良い。  【選択図】  図２
2010533417.tif 000002
【特許請求の範囲】
【請求項１】
第一ＩＭＳネットワークのＩＭＳネットワーク（４０１）によって提供された少なくとも一つのネットワークサービスのネットワークサービスアドレスを検索するためのサードパーティサービスプロバイダ（４０３）の方法であって、
前記サードパーティサービスプロバイダは、前記第一ＩＭＳオペレータとの取引契約を有しておらず、
第一ネットワーク（４０６）を介して、移動局（４００）から、前記サードパーティサービスプロバイダのアプリケーション（４０５）を起動させる工程（４：１，５：１）と、
前記第一ＩＭＳネットワークを介して前記サードパーティサービスプロバイダと前記移動局との間のＩＭＳセッションを確立する工程（４：２，５：２）と、
前記サードパーティサービスプロバイダの前記アプリケーションにおいて、少なくとも一つのネットワークサービスの前記ネットワークサービスアドレスを検索する工程（４：５，５：６）と
を有し、
前記ネットワークサービスアドレスは、前記第一ＩＭＳネットワークのセッション管理ノード（６００）において、移動体から発信された前記ＩＭＳセッションのＳＩＰメッセージへ挿入される（４：３）ことを特徴とする方法。
【請求項２】
前記ネットワークは、インターネットであることを特徴とする請求項１に記載の方法。
【請求項３】
前記ＩＭＳセッションは、前記第一ＩＭＳネットワークと、前記サードパーティサービスプロバイダが取引契約を有する第二オペレータの第二ＩＭＳネットワーク（４０２）とを介して、確立されることを特徴とする請求項１または２に記載の方法。
【請求項４】
前記第一オペレータは、前記第二オペレータと取引契約を有することを特徴とする請求項３に記載の方法。
【請求項５】
前記２つのＩＭＳネットワークは、中継ネットワークを介して相互接続されていることを特徴とする請求項３または４に記載の方法。
【請求項６】
前記ネットワークサービスアドレスは、前記ＳＩＰメッセージの新しいネットワークサービスアドレスへ挿入されることを特徴とする請求項１乃至５のいずれか一項に記載の方法。
【請求項７】
前記１以上のネットワークサービスは、前記挿入されたネットワークサービスアドレスを用い、ネットワークサービス事業者のインタフェースを介してアクセスされることを特徴とする請求項１乃至６のいずれか一項に記載の方法。
【請求項８】
前記ネットワークサービスアドレスは、複数のネットワークサービスのカタログもしくは特定のネットワークサービスのいずれかに対するアドレスであることを特徴とする請求項７に記載の方法。
【請求項９】
前記ネットワークサービスアドレスは、少なくとも一つのネットワークサービス事業者のアドレスを含む構造に対するアドレスであることを特徴とする請求項７に記載の方法。
【請求項１０】
前記カタログもしくは構造は、前記ネットワークサービスそれぞれにアクセスするために利用するプロトコルを特定するための、各ネットワークサービスに対する識別子を有することを特徴とする請求項８または９に記載の方法。
【請求項１１】
セッション識別子は、前記ＳＩＰメッセージへも挿入されることを特徴とする請求項１乃至１０のいずれか一項に記載の方法。
【請求項１２】
前記ＩＭＳセッションは、移動局から開始され、ネットワークサービスアドレスはＳＩＰ  ＩＮＶＩＴＥへ挿入される（４：３）ことを特徴とする請求項１乃至１１のいずれか一項に記載の方法。
【請求項１３】
前記ＩＭＳセッションは、移動局で終端となり、前記ネットワークサービスアドレスはＳＩＰ  ＲＥＳＰＯＮＳＥへ挿入される（５：６）であることを特徴とする請求項１乃至１１のいずれか一項に記載の方法。
【請求項１４】
前記アプリケーションが、前記第一オペレータの前記ＩＭＳネットワークによって提供されたネットワークサービスを要求するか否かを、前記サードパーティサービスプロバイダの前記アプリケーションによって判定する工程（４：６，５：９）と、
前記検索されたネットワークサービスアドレスを用いて、前記第一のネットワークを介して前記第一オペレータの前記ＩＭＳネットワークのアプリケーションサーバ（６０８）から要求されたネットワークサービスにアクセスする工程（４：７，５：１０）と
を更に有することを特徴とする請求項１乃至１３のいずれか一項に記載の方法。
【請求項１５】
第一オペレータのＩＭＳネットワーク（４０１）によって提供された少なくとも一つのネットワークサービスのネットワークサービスアドレスをサードパーティサービスプロバイダ（４０３）へ提供するためのＩＭＳネットワークノード（６００）の方法であって、
前記サードパーティサービスプロバイダは、前記第一オペレータとの取引関係を有しておらず、
前記サードパーティサービスプロバイダと、第一ネットワーク（４０６）を介して前記サードパーティサービスプロバイダのネットワークサービスにアクセスする移動局（４００）との間に確立されたＩＭＳセッションの移動局から発信されたＳＩＰメッセージを受信する工程（４：２，５：５）と、
前記ＳＩＰメッセージへネットワークサービスアドレスを挿入する工程（４：３，５：６）と、
前記ＳＩＰメッセージを前記サードパーティサービスプロバイダへ転送する工程（４：４，５：７）と
を有することを特徴とする方法。
【請求項１６】
前記挿入する工程の実行前に、
前記ＩＭＳセッションの前記着信パーティもしくは発信パーティの少なくとも一方がブラックリスト（６０４）に登録されているか否かを判定するために前記受信したＳＩＰメッセージに問い合わせる工程と、
もし登録されていれば、ネットワークサービスアドレスは前記ＳＩＰメッセージへ挿入されないと判定する工程と
を実行することを特徴とする請求項１５に記載の方法。
【請求項１７】
第一オペレータのＩＭＳネットワーク（４０１）の少なくとも一つのネットワークサービスのネットワークサービスアドレスをサードパーティサービスプロバイダ（４０３）へ提供するように適合されたセッション管理ノード（６００）であって、
前記サードパーティサービスプロバイダは、前記第一オペレータとの取引契約を有しておらず、
前記サードパーティサービスプロバイダと、第一ネットワーク（４０６）を介して前記サードパーティサービスプロバイダのネットワークサービスにアクセスする移動局（４００）との間に確立されたＩＭＳセッションの移動局から発信されたＳＩＰメッセージを受信する（６：１）受信手段（６０２）と、
前記ＳＩＰメッセージに問い合わせ（６：３）、ネットワークサービスアドレスが前記ＳＩＰメッセージへ挿入されるべきであると判定されると、ネットワークサービスアドレスを前記ＳＩＰメッセージに挿入する（６：４）挿入手段（６０３）と、
前記ＳＩＰメッセージを前記サードパーティサービスプロバイダへ送信する（６：７）送信手段（６０７）と
を有することを特徴とするセッション管理ノード。
【請求項１８】
前記挿入手段は、前記ＩＭＳセッションの着信部もしくは発信部の少なくとも一方がブラックリスト（６０４）にて発見された場合、ネットワークサービスアドレスはＳＩＰメッセージへ挿入されないと判定することを特徴とする請求項１７に記載のセッション管理ノード。
【請求項１９】
前記ネットワークサービスアドレスは、ネットワークサービスを提供する少なくとも一つのアプリケーションサーバ（６０８）によって継続的に更新されるアドレスデータベース（６０５）から提供されることを特徴とする請求項１７または１８に記載のセッション管理ノード。
【請求項２０】
前記挿入手段は更に、セッション識別子を前記ＳＩＰメッセージへ挿入することを特徴とする請求項１７乃至１９のいずれか一項に記載のセッション管理ノード。
【請求項２１】
前記送信手段は、第二オペレータのＩＭＳネットワーク（４０２）を介して、前記ＳＩＰメッセージを前記サードパーティサービスプロバイダへ送信し、
前記第一オペレータは、前記第二オペレータと取引契約を有することを特徴とする請求項１７乃至２０のいずれか一項に記載のセッション管理ノード。
【請求項２２】
第一ネットワーク（４０６）、移動局（４００）に提供する第一オペレータの第一ＩＭＳネットワーク（４０１）、及び第二オペレータの第二ＩＭＳネットワーク（４０２）を有する通信システムであって、
サードパーティサービスプロバイダは、前記第一オペレータの前記ＩＭＳネットワークとの取引関係を有しておらず、
前記サードパーティサービスプロバイダにおいて、前記移動局の第一アプリケーション（４０４）と前記サードパーティの第二アプリケーション（４０５）との間の通信を、前記第一ネットワークを介して確立する手段（８０１）と、
前記サードパーティサービスプロバイダにおいて、前記移動局と前記サードパーティサービスプロバイダとの間のＩＭＳセッションを設定する手段（８０２）と、
前記第一オペレータの前記ＩＭＳネットワークのセッション管理ノード（６００）において、前記第一オペレータの前記ＩＭＳネットワークによって提供される少なくとも一つのネットワークサービスのネットワークサービスアドレスを挿入する手段（６０３）と、
前記サードパーティサービスプロバイダにおいて、前記ネットワークサービスアドレスを受信し、それを前記第二アプリケーションへ転送する手段（８０２）と
を有することを特徴とする通信システム。
【請求項２３】
前記サードパーティサービスプロバイダは更に、
前記第二アプリケーションが、前記第一オペレータの前記ＩＭＳネットワークから提供された少なくとも一つのネットワークサービスを要求するか否かを判定する手段（８０３）と、
もし前記第二アプリケーションが、検索されたネットワークサービスアドレスを用いて、前記第一オペレータの前記ＩＭＳネットワークから少なくとも一つのネットワークサービスを要求する場合、前記第一ネットワークを介して前記第一オペレータの前記ＩＭＳネットワークのアプリケーションサーバ（６０８）との接続を設定する手段と
を有することを特徴とする請求項２２に記載の通信システム。
【発明の詳細な説明】
【技術分野】
【０００１】
本発明は、一般的には、サードパーティサービスプロバイダと先行する取引関係のないＩＭＳネットワーク運用者によって提供されたネットワークサービスに、サードパーティサービスプロバイダのアクセスを提供するための方法及び構成に関する。
【背景技術】
【０００２】
ＩＭＳ（ＩＰ  Ｍｕｌｔｉｍｅｄｉａ  Ｓｕｂｓｙｓｔｅｍ）は、事実上全ての基幹ネットワーク技術にまたがるリアルタイム、パケットベース呼、及びサービスに必要なシグナリング、配信、認証、及び課金機能を提供する一連の標準規格である。言い換えると、ＩＭＳは、固定ネットワーク及び移動ネットワークの両方において、効率的で高速な次世代ＩＰサービスの実現に適合したプラットフォームであり、固定ネットワークと無線ネットワークの統合を加速するであろう。
【０００３】
ＩＭＳの背後にあるこれを推進するビジョンの共通の説明は、従来の電話と共に全ての有線／無線ネットワークによるインターネットコミュニケーションを含む、全てのネットワークにまたがる全てのサービスセッションから“一つのハンドセット、一つのアドレス帳、一つのメールアドレス、そして一つの請求書”というコンセプトを伴い、日々の生活のコミュニケーションにおける一貫し、統合したサービスを加入者に提供することに焦点を当てている。
【０００４】
通常、ＩＭＳ加入者は、複数のＩＭＳオペレータを、提供される異なったサービス及び価格を有するそれぞれの中から選択する。一般的には、ＩＭＳ加入者は、市場にて活動するＩＭＳオペレータの一つと取引契約をする。ＩＭＳ加入者の視点からは、しかしながら、選択された一つのＩＭＳオペレータによって、提供されることができることよりも、より幅広いサービスの範囲にアクセスできることが望ましい。その加入者を満足させるために、ＩＭＳオペレータらは、しばしば、互いに相互の取引契約を有し、それによって一つのＩＭＳオペレータが他のＩＭＳオペレータサービスを提供もしくは利用することができる。
【０００５】
図１は、従来技術における、サードパーティサービスプロバイダ１０３からＩＭＳを超えて移動局１００のユーザへサービスを配信する一つの方法を示している。移動局１００のユーザは、ＩＭＳネットワークを管理する第一ＩＭＳオペレータの加入者である。第一ＩＭＳオペレータは、しかしながら、サードパーティサービスプロバイダ１０３へのどんな直接的な取引関係も有しておらず、故に、移動局１００がＩＭＳネットワーク１０１を介して、サードパーティサービスプロバイダ１０３からサービスへアクセスできることは明らかでない。
【０００６】
サードパーティサービスプロバイダ１０３は、第二ＩＭＳネットワーク１０２を管理する第二オペレータとの取引関係を有する。移動局１００のユーザは、サービスに対する要求を認識して、ＩＭＳネットワーク１０１からアクセスすることはできないが、サードパーティサービスプロバイダ１０３からアクセス可能であるアプリケーション１０４を起動する。移動局１００のユーザへ、このサービスを提供できるようにするための第一オペレータに対する必要条件は、第一ＩＭＳオペレータが第二ＩＭＳオペレータとの相互接続契約を有することである。このような状況において、移動局１００は、ステップ１：１にて、第一オペレータＩＭＳネットワーク１０１との第一接続によって、サードパーティサービスプロバイダ１０３とＩＭＳセッションを設定することができる。ＩＭＳネットワーク１０２の第二オペレータと相互接続契約を有するＩＭＳネットワーク１０１の第一オペレータは、第二ステップ１：２にて、２つのＩＭＳネットワーク間の相互接続を設定でき、第二オペレータは、第三ステップ１：３にて、サードパーティサービスプロバイダ１０３との接続によって、ＩＭＳセッションを完了する。サードパーティサービスプロバイダ１０３から成功したＩＭＳセッション設定を検証するシグナリングが完了した後（不図示）、移動局１００のアプリケーション１０４は、最後のステップ１：４にて、ＩＭＳセッションを介して、サードパーティサービスプロバイダ１０３のアプリケーション１０５から提供されたサービスへアクセスできる。
【０００７】
他のシナリオにおいて、提供するサービスを強化したいサードパーティサービスプロバイダは、自身のオペレータ以外の１以上のネットワークオペレータからいくつかのサービスへアクセスできるための要求があってもよい。そのようにするために、２つのサービスプロバイダ間に取引契約が無ければならない。そのようなネットワークサービスは、例えば、ユーザ統計、位置情報、もしくは通信品質の制御（ＱｏＳ）を含むかもしれず、これらは規格化された、もしくは公開されたインタフェース（例えば、拡張する、もしくは異種のウェブサービスのタイプなど）を介して提供されるかもしれない。
【０００８】
この状況を示している従来技術のシナリオについて、図２を参照して以下に説明する。移動局２００のユーザへサービスを提供するサードパーティサービスプロバイダ２０３は、第一ネットワーク２０６を介し、第一オペレータのＩＭＳネットワーク２０１から提供された追加のネットワークサービスを用いることによって、そのサービスを強化したい。移動局２００のユーザは、サードパーティサービスプロバイダ２０３からアクセス可能なサービスを要求するアプリケーション２０４を開始する。はじめに、移動局２００のアプリケーション２０４は、第一ステップ２：１にて、第一ネットワーク２０６を介して、サードパーティサービスプロバイダ１０３のアプリケーション２０５との接続を確立する。次のステップ２：２にて、アプリケーション２０５は、サードパーティサービスプロバイダから提供されないが、第一オペレータのＩＭＳネットワークから提供されるネットワークサービスに対する要求を認識する。アプリケーション２０５は、従って、要求されたネットワークサービスが、アプリケーション２０５によってアクセスされ、用いることができるようになった後、ＩＭＳネットワーク２０１との接続を確立する。しかしながら、サードパーティサービスプロバイダに対し、第一オペレータのＩＭＳネットワークから要求されたサービスへアクセスできるようにするために、サードパーティサービスプロバイダ２０３は、第一オペレータとの取引関係を有しなければならない。
【０００９】
上記で示した従来技術のシナリオ両方のように、もしそれらが互いのサービスを用いることができるようにするのであれば、２つのパーティ間の取引関係を確立させる必要があり、そして、故に、それらの加入者に対し改善されたサービス範囲を提供できる。
【００１０】
図３は、異なる取引契約が、第一ＩＭＳネットワーク３０１を管理する第一オペレータ、第二ＩＭＳネットワーク３０２を管理する第二オペレータ、移動局３００のユーザ、及びサードパーティサービスプロバイダ３０３（例えば、図１にて示された関係者）の間にどのように設定されることができるかを示している。
【００１１】
図３において、移動局３００のユーザは、ＩＭＳネットワーク３０１のオペレータの加入者であり、従って、サブスクリプションとして定義された取引契約は、それら２つのパーティ間にて確立される。
【００１２】
図３において、ＩＭＳネットワーク３０１の第一オペレータは、ＩＭＳネットワーク３０２の第二オペレータとの相互接続契約として定義された取引関係３０５も有する。第一ＩＭＳネットワーク３０１と第二ＩＭＳネットワーク３０２との間の直接の相互接続契約に代わるものとして、取引関係は、ＩＭＳネットワーク両方との相互接続契約を有することができる中継ネットワーク（不図示）を介して２つのＩＭＳネットワーク間に設定されても良い。
【００１３】
サードパーティサービスプロバイダ３０３は、第二ＩＭＳネットワーク３０２を用いるために、第二ＩＭＳオペレータと他の取引関係３０６を有しても良い。加えて、図３は、移動局３００のユーザが、別個のネットワーク３０８を介して、サードパーティサービスプロバイダ３０３と直接設定された取引関係３０７を有しても良い。
【発明の概要】
【発明が解決しようとする課題】
【００１４】
通信者が、特定のオペレータによって提供されたネットワークサービスを利用することができないと、オペレータにそれらの加入者へ競争力のあるサービスを提供することができるようにすることを阻害し、新しいサービスの展開において、オペレータに対する障害物ともなりうる。全ての主要オペレータとの取引関係を確立することは、また一方で、オペレータやこれに関与するサードパーティサービスプロバイダにとって大きな努力を必要とするであろう。
【００１５】
本願発明の目的は、上記の略述した問題の少なくともいくつかを解決することである。特に、サードパーティサービスプロバイダへ接続されたユーザに、サービス（サードパーティサービスプロバイダと先行する取引関係の無いオペレータから利用可能な１以上の付加サービスを含む）を利用できるようにするための解決策を提供することである。
【課題を解決するための手段】
【００１６】
異なる側面からすれば、方法及び構成が定義され、これにより、サードパーティサービスプロバイダとの取引関係の無いオペレータのＩＭＳネットワークによって提供されたネットワークサービスのネットワークアドレスを提供する。移動局とサードパーティサービスプロバイダとの間に設定されるＩＭＳセッションのＳＩＰメッセージへ、１以上のネットワークサービスそれぞれのネットワークサービスアドレスを自動的に挿入するようにセッション管理ノードを適合することによって、サードパーティサービスプロバイダからサービスにアクセスする際に、間接的に１以上のネットワークサービスを要求し、ネットワークサービスは、サードパーティサービスプロバイダと１以上のネットワークサービスを提供する各オペレータとの間に前もってどんな取引関係も必要とせず、サードパーティサービスプロバイダや移動局のユーザへ容易くアクセスできるであろう。
【００１７】
自動アドレス配信手順は、各オペレータによって提供されたネットワークサービスを利用する権利を与えられたパーティを制限する１以上のブラックリストを用いることによって、制限してもよい。
【００１８】
更なる側面によると、第一ＩＭＳオペレータのＩＭＳネットワーク（４０１）によって提供された少なくとも一つのネットワークサービスのネットワークサービスアドレスを検索するためのサードパーティサービスプロバイダの方法であって、サードパーティサービスプロバイダは、第一ＩＭＳオペレータとの取引関係を有さないとする。サードパーティサービスのアプリケーションは、第一ネットワークを介して、移動局から起動される。次のステップにおいて、ＩＭＳセッションは、サードパーティサービスプロバイダと移動局との間で、第一ネットワークを介して確立される。最後に、１以上のネットワークサービスのネットワークサービスアドレスは、サードパーティサービスプロバイダのアプリケーションにて読み出され、ネットワークサービスアドレスは、第一ＩＭＳネットワークのセッション管理ノード（６００）によって、移動局から発信されたＩＭＳセッションのＳＩＰメッセージへ挿入される。
【００１９】
一つの側面によると、第一ネットワークは、インターネットである。
【００２０】
他の側面によると、ＩＭＳセッションは、第一ＩＭＳネットワークを介して、サードパーティサービスプロバイダとの取引関係を有する第二オペレータの第二ＩＭＳネットワークと確立される。第一オペレータは、第二オペレータと取引関係を有しても良い。代わりとして、２つのＩＭＳネットワークは、中継ネットワークを介して相互接続であってもよい。
【００２１】
また他の側面によると、ネットワークサービスアドレスは、ＳＩＰメッセージの新しいネットワークサービスアドレスヘッダへ挿入される。
【００２２】
一つの側面によると、ネットワークサービスアドレスは、挿入されたネットワークサービスアドレスを用いるネットワークサービス事業者のインタフェースを介して、アクセスされる。ネットワークサービスアドレスは、ネットワークサービスのカタログや特定のネットワークサービスへのアドレスであっても良い。代わりとして、ネットワークサービスアドレスは、少なくとも一つのネットワークサービス事業者のドレスを含む構造のアドレスであってもよい。カタログや構造は、各ネットワークサービスにアクセスするために用いられるプロトコルを特定する、各ネットワークサービスに対する識別子を含んでもよい。
【００２３】
他の側面によると、セッション識別子もＳＩＰメッセージへ挿入されて良い。
【００２４】
一つの実施形態によると、ＩＭＳセッションは、移動局から開始され、ネットワークサービスアドレスは、ＳＩＰ  ＩＮＶＩＴＥへ挿入される。
【００２５】
他の実施形態によると、ＩＭＳセッションは、代わりに移動局で終端であり、ネットワークサービスアドレスは、ＳＩＰ  ＲＥＳＰＯＮＳＥへ挿入される。
【００２６】
また他の実施形態によると、サードパーティサービスプロバイダのアプリケーションは、アプリケーションが第一オペレータのＩＭＳネットワークによって提供されるネットワークサービスを要求するか否かを判定でき、要求されたネットワークサービスは、検索されたネットワークサービスアドレスを用いて、第一ネットワークを介し、第一オペレータのＩＭＳネットワークのアプリケーションサービスからアクセスされてもよい。
【００２７】
他の側面からすれば、サードパーティサービスプロバイダへ第一オペレータのＩＭＳネットワークによって提供された少なくとも一つのネットワークサービスのネットワークアドレスを提供するＩＭＳネットワークノードの方法が備えられる。ここで、サードパーティサービスプロバイダは、第一オペレータとの取引契約を有さない。この側面によると、サードパーティサービスプロバイダと第一ネットワークを介してサードパーティサービスプロバイダのネットワークサービスにアクセスする移動局との間の移動局から発信されたＩＭＳセッションのＳＩＰメッセージが、受信される。ＳＩＰメッセージがサードパーティサービスプロバイダへ送信される前に、ネットワークサービスアドレスは、ＳＩＰメッセージに挿入される。挿入工程に先立って、ＩＭＳセッションの着信部と発信部の内の少なくとも一方がブラックリスト（６０４）に登録されているか否かを判定するために、受信したＳＩＰメッセージを問い合わせる工程が、実行される。問い合わせの結果に基づいて、ネットワークサービスアドレスが、受信したＳＩＰメッセージへ挿入されるべきか否かを判定する。
【００２８】
さらに他の側面からずれば、セッション管理ノードは、サードパーティサービスプロバイダへ第一オペレータのＩＭＳネットワークの少なくとも一つのネットワークサービスのネットワークサービスアドレスを提供するように適合され、サードパーティサービスプロバイダは、第一オペレータと取引契約を有さない。セッション管理ノードには、サードパーティサービスプロバイダと第一ネットワークを介してサードパーティサービスプロバイダのネットワークサービスにアクセスする移動局との間に確立されたＩＭＳセッションの移動局から発信されたＳＩＰメッセージを受信するための手段が提供される。セッション管理ノードは更に、ＳＩＰメッセージが問い合わせられ、ネットワークサービスアドレスがＳＩＰメッセージへ挿入されると判定された際に、ＳＩＰメッセージへネットワークサービスアドレスを挿入するための手段を有する。ネットワークサービスアドレスを含むＳＩＰメッセージは、次に送信手段を介して、サードパーティサービスプロバイダへ送信される。
【００２９】
さらに他の側面において、もしＩＭＳセッションの着信部と発信部との内の少なくとも一方がブラックリストにて見つけられた場合、挿入手段は、ＳＩＰメッセージへネットワークサービスアドレスを挿入しないように判定するように適合されても良い。更に、ネットワークサービスアドレスは、ネットワークサービスを提供するアプリケーションサーバによって継続的に更新されるアドレスデータベースから提供されても良い。挿入手段は、ＳＩＰメッセージへセッション識別子を挿入するように適合されても良く、送信手段は、第二オペレータのＩＭＳネットワーク（４０２）を介して、サードパーティサービスプロバイダへＳＩＰメッセージを送信するように適合されても良く、サードパーティサービスプロバイダは、第一オペレータのＩＭＳネットワークと取引関係は有さない。
【００３０】
他の側面において、第一ネットワーク、移動局にサービスを提供する第一オペレータの第一ＩＭＳネットワーク、及び第二オペレータの第二ＩＭＳネットワーク（４０２）を含む通信システムの構成が備えられる。ここで、サードパーティサービスプロバイダは、第一オペレータのＩＭＳネットワークとの取引関係を有さない。この構成は、サードパーティサービスプロバイダにおいて、第一ネットワークを介して、移動局の第一アプリケーションとサードパーティの第二アプリケーションとの間の通信を確立するための手段を有する。サードパーティサービスプロバイダは更に、サードパーティサービスプロバイダにおいて、移動局とサードパーティサービスプロバイダとの間のＩＭＳセッションを設定するための手段を有する。加えて、ノードは、第一オペレータのＩＭＳネットワークのセッション管理ノードにおいて、第一オペレータのＩＭＳネットワークによって提供される少なくとも一つのネットワークサービスのネットワークサービスアドレスを挿入するための手段と、サードパーティサービスプロバイダにおいて、ネットワークサービスアドレスを受信し、第二アプリケーションへアドレスを転送するための手段を有する。
【００３１】
他の側面において、サードパーティサービスプロバイダは更に、第二アプリケーションが、第一オペレータのＩＭＳネットワークから提供された少なくとも一つのネットワークサービスを要求するか否かを判定するための手段と、第二アプリケーションが、読み出したネットワークサービスアドレスを用いて、少なくとも一つのネットワークサービスにアクセスするために、第一オペレータのＩＭＳネットワークから少なくとも一つのネットワークサービスを要求する場合、第一ネットワークを介して、第一オペレータのＩＭＳネットワークのアプリケーションサーバとの接続を設定するための手段とを有する。
【００３２】
本願発明は、例示する実施形態の手段と添付した図を参照して、より詳細に述べられるであろう。
【図面の簡単な説明】
【００３３】
【図１】図１は、従来技術に基づく、サードパーティサービスプロバイダから提供されたサービスへ、移動局のユーザがアクセスできるようにするためのシグナリングの例を示している構造の基本概略図である。
【図２】図２は、従来技術に基づく、第一ネットワークを介して、サービスを提供するサードパーティサービスプロバイダに、他のネットワークから提供された補助的ネットワークサービスにアクセスすることによって提供されるサービスを強化するためのシグナリングの例を示している構造の基本概略図である。
【図３】図３は、クレームとしての発明に係るパーティ間と同様に、図１を参照して以前に述べられたパーティ間で可能な取引契約を示している略図である。
【図４】図４は、第一実施形態に基づく、移動局から開始されたＩＭＳセッションを介して、サードパーティサービスプロバイダへネットワークサービスアドレスを提供するための構造及びシグナリングを示している基本概略図である。
【図５】図５は、他の実施形態に基づく、移動局で終端であるＩＭＳセッションを介して、サードパーティサービスプロバイダへネットワークサービスアドレスを提供するための構造及びシグナリングを示している基本概略図である。
【図６】図６は、サードパーティサービスプロバイダへネットワークサービスアドレスを提供するように適合されたセッション管理ノードを含むＩＭＳネットワークの構造の略図である。
【図７】図７は、図６を参照して前に述べられたアドレスデータベースの構造例の図である。
【図８】図８は、請求の範囲に記載の実施形態に従って動作するサードパーティサービスプロバイダの構造の略図である。
【発明を実施するための形態】
【００３４】
簡潔に述べると、本願発明は、サードパーティサービスプロバイダに対する、第一オペレータに管理されたＩＭＳネットワークによって提供される１以上のネットワークサービスへアクセスするための解決策を提供し、サードパーティサービスプロバイダは、第一オペレータとの先行した取引関係（例えば、２つのパーティ間に設定された取引契約）を有さない。これは、サードパーティサービスプロバイダとＩＭＳネットワークとの間にＳＩＰセッションを介して配信されるＳＩＰメッセージへ、1以上の要求されたネットワークサービスにアクセスするのに必要なネットワークサービスアドレスをアタッチするように適合されたアドレスアタッチメント機構を取り込んだ方法によって解決される。
【００３５】
図４を参照して述べられる第一の実施形態によると、移動局４００のユーザは、第一オペレータのＩＭＳネットワーク４０１の加入者である。この明細書においては、このネットワークは、ＩＭＳネットワークＡとして定義される。移動局４００のユーザは、接続されていて、第二オペレータのＩＭＳネットワーク４０２と取引関係のあるサードパーティサービスプロバイダ４０３から提供されたサービスを用いたいと望む。このＩＭＳネットワークは、この明細書においては、ＩＭＳネットワークＢとして定義される。
【００３６】
第一ステップ４：１において、すでに移動局４００に格納され、もしくはダウンロードされている第一アプリケーション４０４を介し、移動局４００のユーザは、第一ネットワーク４０６（例えば、インターネットなど）を介して、サードパーティサービスプロバイダ４０３の第二アプリケーション４０５との通信を確立する。第一ステップは、第一アプリケーション４０４によって自動的に、もしくはユーザによって生成された対話に応答して、決定されてよい。
【００３７】
サードパーティサービスプロバイダ４０３が、移動局４００に対して強化されたサービスプログラムを提供できるようにするために、ＩＭＳネットワークサービスＡ４０１から提供された１以上のネットワークサービス（例えば、ユーザ統計、位置情報、サービス品質（ＱｏＳ）と関連付けられた情報）へのアクセスを要求してもよい。この例において、ＩＭＳ相互接続契約は、現在の相互関係に先行してすでにＩＭＳネットワークＡ４０１とＩＭＳネットワークＢ４０３との間に確立されている。代替案では、前に述べられたように、相互接続契約は、すでに中継ネットワーク（不図示）を介して、ＩＭＳネットワークＡ４０１とＩＭＳネットワークＢ４０２との間に確立されている。
【００３８】
先験的な相互接続契約は、一方で、移動局４００にサービスを提供するＩＭＳネットワークＡ４０１とＩＭＳネットワークＢ４０２によって提供されるサードパーティサービスプロバイダ４０３との間に確立されてはいない。この段階で、自身のＩＭＳは、明らかにサードパーティサービスプロバイダ４０３によって望まれ、ＩＭＳネットワークＡ４０１によって提供される全てのネットワークサービスを伝達するのに適していない。代わりに、サードパーティサービスプロバイダ４０３は、第一ネットワーク４０６を介して、要求された１以上のネットワークサービスに、存在するネットワークサービス事業者のインタフェース（例えば、標準もしくは非標準のＳＯＡＰ／ＸＭＬインタフェースなど）を介してアクセスして良い。そのようにするために、一方で、１以上のネットワークサービスそれぞれのネットワークアドレスは、サードパーティサービスプロバイダ４０３へ提供されねばならない。このため、ネットワークサービスアドレスをサードパーティサービスプロバイダ４０３の第二アプリケーションへ転送するように適合された機構が提案される。先験的な取引契約がＩＭＳネットワークＡ４０１とサードパーティサービスプロバイダ４０３との間に設定されていないが、このアドレスにより、アプリケーション４０５は、第一ネットワーク４０６を介して、ＩＭＳネットワークＡ４０１から１以上の要求されたネットワークサービスへアクセスできるであろう。
【００３９】
ＩＭＳネットワークＡ４０１のネットワークサービスへのアクセスを提供する一つの方法は、移動局４００と二つの言及したＩＭＳネットワークに関与するサードパーティサービスプロバイダ４０３との間の移動局から開始されたＩＭＳセッションの確立に基づいている。
【００４０】
アプリケーション４０４は、いくつかのトリガー（例えば、ＩＭＳネットワークＡ４０１から利用可能なネットワークサービスに対するアプリケーション４０５からの要求を認識した際など）に応じて、提案されたアドレスアタッチメント機構を開始するように構成されてもよい。しかしながら、ネットワークサービスアドレスは通常、明瞭にネットワークサービスアドレスを検索する以外の他の理由でも設定されるＩＭＳセッションを介してアプリケーションを提供されるため、故に、提案されたアドレスアタッチメント機構は、いずれにしても設定されたＳＩＰセッションを利用する。
【００４１】
第二ステップ４：２において、ＳＩＰメッセージ（例えば、“ＳＩＰ  ＩＮＶＩＴＥ”や“ＳＩＰ  ＭＥＳＳＡＧＥ”）は、従って、ＩＭＳセッションの設定に関与するＩＭＳネットワークＡ４０１のノード（典型的には、セッション管理ノード（不図示））へ転送される。アドレスアタッチメント機構を導入するための手段を有する変形されたノードを含む提案される全体アークテクチャについて、図６を参照して、以下で更に詳述する。
【００４２】
次のステップ４：３において、移動局から発信されたＳＩＰメッセージは、受信ＳＩＰメッセージへ挿入される。第一の代替の実施形態によると、移動局から発信されたＳＩＰメッセージには、常に、サードパーティサービスプロバイダ４０３の起動されたアプリケーションをＩＭＳネットワークＡ４０１のネットワークサービスへアクセスできるようにするネットワークサービスアドレスが提供される。
【００４３】
代わりの方法として、提案されたネットワークサービスアドレスアタッチメント手順は、条件付きであり、着信ＳＩＰメッセージは、問い合わせられ、ＩＭＳセッションに関与するパーティは、ネットワークサービスアドレスがアタッチされるか否かを判定するために、１以上のブラックリストに対して検証される。１以上のブラックリストを導入することによって、ＩＭＳネットワークＡ４０１は、そのネットワークサービスへアクセスするあるパーティを拒否することができるであろう。ブラックリストの利用については、図６を参照して、より詳細に以下で説明する。
【００４４】
次のステップ４：４において、ＳＩＰメッセージと、オプション的にはネットワークサービスアドレスと共に挿入されたかもしれないセッション識別子とは、オプション的に中間の中継ネットワークを介して、ＩＭＳネットワークＡ４０１からＩＭＳネットワークＢ４０２へ転送され、他のステップ４：５において、ＳＩＰメッセージは、ＩＭＳネットワークＢ４０２からサードパーティサービスプロバイダ４０３へ転送され、ネットワークサービスアドレスとオプション的にはセッション識別子とを含むＳＩＰメッセージのコンテンツは、第二アプリケーション４０５へ転送される。
【００４５】
次のステップ４：６において、アプリケーション４０５は、要求されたサービスを実行するために、ＩＭＳネットワークＡ４０１から提供されたネットワークサービスを必要としているか否かを判定する。もし必要であれば、最後のステップ４：７にて示されているように、ネットワークサービスアドレスは、サードパーティサービスプロバイダ４０３とＩＭＳネットワークＡ４０１との間の通信を設定することによって、第一ネットワーク４０６を介して、要求されたネットワークサービスにアクセスするのに用いられる。サードパーティサービスプロバイダ４０３とＩＭＳネットワークＡ４０１との間の双方向通信は、動的な企業間関係を確立するのに適した、例えば、ＳＯＡＰ／ＸＭＬウェブサービスやその他のプロトコルに基づいていると良い。ネットワークサービスアドレスを介して、アプリケーション４０５は、直接ネットワークサービスに対して要求しても良いし、アドレスそれぞれに対し、各利用可能なネットワークサービスをリンク付けしているリストをフェッチした後でも良い。
【００４６】
セッション識別子がステップ４：３のＳＩＰメッセージに含まれていた場合、このセッション識別子は、問い合わせられたネットワークサービスアドレスと共にステップ４：７にて示されたシグナリングに含まれている際に、アプリケーション４０５（例えば、課金目的のためのアプリケーション）によって用いられて良い。
【００４７】
ステップ４：７の双方向シグナリングにて送信された、ネットワークサービスに対する要求に応答して、要求されたネットワークサービスがアクセス可能なアプリケーションサーバ（不図示）は、関連データもしくはＩＭＳネットワークＡ４０１のネットワークアドレス構成のセットに従うリンク情報をアプリケーション４０５へ提供し、アプリケーション４０５は、適宜、要求されたサービスを実行するために、このデータもしくはリンク情報を用いて良い。
【００４８】
動的な取引関係を確立する際に、ＩＭＳネットワークＡ４０１のＩＭＳオペレータは、他の代わりのサービスプロバイダと同様にサードパーティサービスプロバイダ４０３が利用できるように、ネットワークサービスの権限を与える。ＩＭＳネットワークＡ４０１のＩＭＳオペレータは、ネットワークサービスの利用に対する、例えば、何らかの所定の課金モデルに基づいて、これらのネットワークサービスが無料であるか、もしくは有料であるかというような条件を指定してもよい。このため、セッション識別子は、ＩＭＳネットワークＡ４０１のＩＭＳオペレータによって設定されるそれぞれのＩＭＳセッションと相互に関連付けられても良い。この方法において、要求されたポリシーは、ＩＭＳネットワークＡ４０１から提供された全てのネットワークサービスのために用いられても良い。ポリシーが、例えば、あるネットワークサービスが設定されている任意のＩＭＳセッションに提供されていることを特定できるのであれば、それによって、これらのネットワークサービスは、ネットワークサービスごとよりは、ＩＭＳレイヤの基準で課金される。
【００４９】
図５を参照して説明する他の実施形態において、ネットワークサービスアドレスの配信のために用いられる移動局で終端となるＩＭＳセッションは、サードパーティサービスプロバイダ４０３から開始される。この実施形態においても、第一移動局４００のユーザは、ＩＭＳネットワークＡ４０１として示された第一ＩＭＳネットワークのＩＭＳオペレータの加入者である。ＩＭＳネットワークＡ４０１のＩＭＳオペレータは、サードパーティサービスプロバイダ４０３と取引契約を有する、ＩＭＳネットワークＢ４０２として示された第二ＩＭＳネットワークの他のオペレータとの相互接続契約を有する。
【００５０】
第一ステップ５：１において、移動局４００のアプリケーション４０４は、第一ネットワーク４０６を介し、例えば、ユーザとの対話に応答して、サードパーティサービスプロバイダ４０３のアプリケーションとの通信を開始する。このステップにおいて、移動局のＩＭＳアドレス（例えば、ＩＭＳパブリックユーザアイデンティティ：public user identity）とオプションとしてはサブアドレス（例えば、アプリケーション４０４のＩＭＳ通信サービス識別子（ＩＣＳＩ））とは、アプリケーション４０５へ転送される。第一実施形態との類似点は、この通信が、ユーザをサードパーティサービスプロバイダ４０３から提供されるサービスへアクセスできるようにすることである。アプリケーション４０４は、アプリケーション４０５によってダウンロードされ、もしくは、すでに移動局４００にある場合には、アプリケーション４０５からもしくはユーザとの対話に応答することで起動されても良い。
【００５１】
取り出された情報に基づいて、アプリケーション４０５は、移動局４００の端末アドレスと、オプションとしてはアプリケーション４０４のサブアドレスに対してＩＭＳセッションを開始できる。代替案として、アプリケーション４０５は、ＩＭＳネットワークＡ４０１にて利用可能なネットワークサービスが要求されることを認識し、それによって、移動局で終端となるセッションの確立が、サードパーティサービスプロバイダ４０３と移動局４００との間で設定される。
【００５２】
第二実施形態に従って設定されたモバイル機器で終端となるセッションにおいて、ＳＩＰメッセージは、ステップ５：２にて、サードパーティサービスプロバイダ４０３からＩＭＳネットワークＢ４０２へ送信され、ＳＩＰメッセージは、次のステップ５：３にて、ＩＭＳネットワークＢからＩＭＳネットワークＡ４０１へ転送される。代わりの方法として、ＩＭＳネットワークＢ４０２とＩＭＳネットワークＡ４０１との間の相互接続は、中継ネットワークを介して実行される。ＳＩＰメッセージは、次にステップ５：４において、ＩＭＳネットワークＡ４０１から移動局４００へ送信され、ＳＩＰメッセージのコンテンツは、移動局４００のアプリケーション４０４へ転送される。アプリケーション４０４は、ステップ５：５にてＩＭＳネットワークＡ４０１へ転送されるＳＩＰ応答メッセージ（例えば、ＳＩＰ  ２００  ＯＫ）を開始することによって、応答する。
【００５３】
次のステップ５：６において、ネットワークサービスアドレスは、上記で述べた第一実施形態に関連して説明したのと同じ方法で、ＳＩＰ応答メッセージへ付加される。
【００５４】
もし適用できるのであれば、セッション識別子は、この段階でＳＩＰ応答メッセージへ付加されても良い。次のステップ５：７において、ＳＩＰ応答メッセージは、ＩＭＳネットワークＢ４０２へ転送され、ステップ５：８にて、サードパーティサービスプロバイダ４０３へ転送され、ＳＩＰ応答メッセージのコンテンツは、アプリケーション４０５へ配信される。アプリケーション４０５は、ステップ５：９において、そのとき、ネットワークサービスアドレスを検索することができ、そして、セッション識別子もネットワークサービスアドレスと共に挿入されるのであれば、セッション識別子も検索される。次そして最後のステップ５：１０において、アプリケーション４０５は、ネットワークサービスにアクセスするために、ＩＭＳネットワークＡ４０１との関係を、第一ネットワーク４０６を介して確立できるであろう。
【００５５】
図６は、図４および５を参照して前に示したＩＭＳネットワークＡ４０１の模式的なアークテクチャである。ＳＩＰセッションにネットワークサービスアドレスを付加するように適合された変形されたノード６００は、ＩＭＳネットワークＡ４０1と外部ノードとエンティティとの間のＳＩＰセッションを管理するように適合された複数の追加のセッション管理ノード６０１に接続されている。ノード６００は、典型的には、提案されたネットワークサービスアドレスアタッチメント手順を管理するために必要な機能と、ノードが管理されるようになっている従来のＳＩＰセッション管理の機能とが備えられたセッション管理ノードである。
【００５６】
本実施形態において、ノード６００は、上記２つの実施形態にて説明したように、移動局４００から到着するＳＩＰメッセージを受信するように適合された受信手段６０２を有する。
【００５７】
第一ステップ６：１において、受信手段６０２にて、ＳＩＰメッセージは移動局４００から受信される。移動局から発信されたＳＩＰセッションのＳＩＰメッセージかもしれない受信ＳＩＰメッセージ（例えば、ＳＩＰ  ＩＮＶＩＴＥや移動局で終端となるＳＩＰセッションに応答するＳＩＰ応答）は、ステップ６：２にて挿入手段６０３へ転送される。挿入手段６０３は、ネットワークサービスアドレスを無条件に挿入するように適合されても良い。代替案として、挿入手段６０３は、ステップ６：３にて、例えば、ＩＭＳセッションの発信パーティもしくは着信パーティの少なくとも一方が、ブラックリストに登録されているか否かを判定するために、ブラックリストデータベース６０４へ問い合わせを行う。ブラックリストにリストされたパーティを含むＳＩＰメッセージは、受信手段６０２から変更されずに（例えば、ネットワークサービスアドレスを追加せずに）、転送されるであろう。もし、一方で、ブラックリストにリストされた関与者がＳＩＰメッセージにて識別できなければ、ネットワークサービスアドレスは、ステップ６：４にてＳＩＰメッセージへ付与される。
【００５８】
一つの実施形態において、それぞれのネットワークアドレスが、例えば、以下の構造に従って確立された、受信ＳＩＰメッセージの新しいＳＩＰヘッダへアタッチされる。
originating-network-services-address=services@operatorA.com
“originating-network-services-address”は、例えば、ＳＩＰヘッダがＩＭＳネットワークＡ４０１から提供されるネットワークサービスのネットワークアドレスを含んでいることを示している。
【００５９】
アタッチされるべきネットワークサービスアドレスは、複数の代替のネットワークサービスアドレスのいずれかであってもよく、挿入されるべき各ネットワークサービスアドレスは、ノード６００の現在の設定に応じて特定されて良い。
【００６０】
一つの実施形態において、ネットワークサービスアドレスは、ＩＭＳネットワークＡ４０１によって提供されるネットワークサービスのカタログのアドレスであって良く、カタログは、例えば、ユニバーサル・ディスクリプション、ディスカバリー＆インテグレーション（ＵＤＤＩ）サービスを介して達しても良い。ＵＤＤＩサービスは、ＵＤＤＩサーバをアドレス指定するＵＲＬアドレスを介してアクセスされる。そのようなカタログに問い合わせることによって、アプリケーションは、ＩＭＳネットワークＡ４０１にて利用可能なサービス、及びそれらへのアクセス方法を見つけ出すことができ、カタログは、例えばサービスごとに一つのＵＲＬにて提供される。
【００６１】
代わりの実施形態において、挿入されるべきネットワークサービスアドレスは、代わりに、特定のネットワークサービスのアドレス（例えば、位置情報を提供するネットワークサービス）となるように構成されても良い。そのような実施形において、新しいＳＩＰヘッダ領域の名称は、好ましくは、このアドレスタイプを示すべきであり、例えば、“originating-network-service-address-locationservers”などである。
【００６２】
さらに他の代わりの実施形態において、ネットワークアドレスは、ネットワークサービスの記述を含む特定構造、例えば、ＸＭＬドキュメントへのアドレスであってもよく、また、ＩＭＳネットワークＡ４０１からネットワークサービスがアクセス可能な全てのネットワークサービスイ事業者のアドレスのリストであってもよい。
【００６３】
先に述べたように、挿入手段６０３は、ＳＩＰメッセージへセッション識別子を挿入するように適合されても良い。セッション識別子を付加することにより、それぞれのＩＭＳセッションと、ＩＭＳセッションにおける発信パーティもしくは着信パーティの少なくともいずれかを、進行中の通信の後の段階で識別できるであろう。そのような識別は、例えば、課金目的やネットワークにアクセスする際の不正使用をしたパーティを拘束するのに役立つであろう。
【００６４】
セッション識別子を用いることに対する代替案は、図４のステップ４：７もしくは図５のステップ５：８それぞれにおいて、サードパーティサービスプロバイダ４０３によって送信されたサービス要求における、ユーザのＩＭＳパブリックアイデンティティを付加することであるかもしれない。
【００６５】
移動局から発信されたＳＩＰメッセージが、挿入手段６０３にて処理されると、それはステップ６：５にて、適宜処理されるべき、ノード６００の何らかの付加機能に転送される。これらの機能は、図の６０６によって示される。ＳＩＰメッセージは、次にステップ６：６にて、標準の送信手段６０７へ送信され、次のステップ６：７にて、ＩＭＳネットワークＢ４０２に対し配信され、ステップ６：８にてサードパーティサービスプロバイダ４０３へ配信される。
【００６６】
サードパーティサービスプロバイダ４０３にて、ＳＩＰメッセージのコンテンツは、各アプリケーションへ転送され、もし、アプリケーションによって1以上のネットワークサービスが要求された場合、ステップ６：９において、ＳＩＰメッセージを介して読み出されたネットワークサービスアドレスを用い、1以上のネットワークサービスそれぞれへネットワーク４０６を介してアクセスされる。
【００６７】
ＩＭＳネットワークＡは、ネットワークサービス事業者のインタフェースを介して１以上のネットワークサービスを提供する複数のアプリケーションサーバ６０８も有し、1以上のネットワークサービスは、ネットワークサービスアドレスを用いることによってアクセスされる。
【００６８】
アドレスデータベース６０５とブラックリストデータベース６０４の両方は、継続的に更新されるために、ＩＭＳネットワークＡ４０１のアプリケーションサーバ６０８と接続している。そのような更新処理は、従来の何らかの標準更新機構によって実施されると良い。この手順は、この明細書においては、より詳細には述べないものとする。
【００６９】
図６を参照して示されたアドレスデータベース６０５のアドレスリスト７００の代表的な構造が図７にて示される。アドレスリスト７００は、第一ネットワークサービスアドレス７０１（例えば、以前で述べたようなオペレータＡのサービスカタログへのアドレス）や、第二アドレス７０２（例えば、ＩＭＳオペレータＡによって提供される位置サービスのアドレス）を有する。アドレスデータベース６０５は、ネットワークＡに対応付けられた、異なるネットワークサービスアドレスを格納して良いが、ノード６００は、一つの特定ネットワークサービスアドレスにのみ挿入されるように設定され、アドレスは、ノードの設定に応じて判定される。
【００７０】
上記の実施形態いずれかに従って動作するように適合されたサードパーティサービスプロバイダ４０３の、代表的なサードパーティアプリケーションサーバ８００について、図８の簡易なブロック図を参照して説明する。上述したように、第二通信手段８０２がＩＭＳネットワークＡ４０１を介して（他のIMSネットワーク４０２を介して）移動局とのＩＭＳセッションを設定するように適合されていると同時に、第一通信手段８０２は、第一ネットワーク４０６を介して、移動局（不図示）との接続を設定するように適合されている。上述したように、アプリケーション手段８０３は、例えば、移動局からネットワーク４０６を介して、起動されることができるアプリケーションの実行を管理するように適合されたロジックを有する。上述したように、アプリケーション手段８０３は、ネットワークサービスアドレスを検索するために、ＩＭＳネットワークＡ４０１を介して、ＩＭＳセッションを設定する命令を含む。代替案としては、移動局の中にある関連アプリケーションは、サードパーティサービスプロバイダ４０３によって提供される移動局とサードパーティサービスプロバイダ８００との間のＩＭＳセッションを起動する。
【００７１】
１以上のネットワークサービスが要求されたと判定されると、アプリケーション手段８０３は、ＩＭＳネットワークＡ４０１から１以上のネットワークサービスそれぞれを検索するためのネットワークサービスを用いて、ＩＭＳネットワークＡ４０１との接続を設定する。
【００７２】
本発明について、代表的な具体的実施形態を参照して説明したが、概して、その説明は本発明の概念を例示することを意図するのみであり、添付の請求の範囲によって定義される発明の範囲を限定するものとして捉えられるべきではない。
【図１】
2010533417.tif 000003
【図２】
2010533417.tif 000004
【図３】
2010533417.tif 000005
【図４】
2010533417.tif 000006
【図５】
2010533417.tif 000007
【図６】
2010533417.tif 000008
【図７】
2010533417.tif 000009
【図８】
2010533417.tif 000010
【国際調査報告】
2010533417.tif 000011
2010533417.tif 000012
2010533417.tif 000013
2010533417.tif 000014